(57)【要約】【解決すべき課題】施蓋状態において浴槽本体との間に隙間が生ずるようなことがなく、湯気の散逸を防ぐと共に、湯温の低下を有効に防止することができるようになした浴槽用蓋を提供する【課題を解決するための手段】蓋本体１の周縁部にエッジプロテクター２を取付け、当該エッジプロテクター２が浴槽本体７のフランジ部８の上面に当接するようになっている浴槽用蓋において、前記エッジプロテクター２の外周部に、浴槽本体７の上面形状に対応して自在に変形が可能な合成樹脂製チューブ体５を形成し、当該合成樹脂製チューブ体５を施蓋の際に浴槽のフランジ部の上面に当接させるようにした。また、当該チューブ体５を浴槽本体７に設けられているヘッドレスト１０に当接させるようにした。【選択図】図５
2008228851.tif 000002
【特許請求の範囲】
【請求項１】
蓋本体の周縁部にエッジプロテクターを取付け、当該エッジプロテクターが浴槽のフランジ部の上面に当接するようになっている浴槽用蓋において、前記エッジプロテクターの外周部に、浴槽の上面形状に対応して自在に変形が可能な合成樹脂製チューブ体を形成し、当該合成樹脂製チューブ体を施蓋の際に浴槽のフランジ部の上面に当接させるようにしたことを特徴とする浴槽用蓋。
【請求項２】
蓋本体の周縁部にエッジプロテクターを取付けてある浴槽用蓋において、前記エッジプロテクターの外周部に、浴槽に設けられているヘッドレストの形状に対応して自在に変形が可能な合成樹脂製チューブ体を形成し、当該合成樹脂製チューブ体を施蓋の際に浴槽に設けられているヘッドレストに当接させるようにしたことを特徴とする浴槽用蓋。
【請求項３】
合成樹脂製チューブ体は浴槽に設けられているヘッドレストに対応する部分だけでなく、ヘッドレストに連なる浴槽の直線状のフランジ部上面に対応する部分にも一体的に形成してあることを特徴とする請求項２記載の浴槽用蓋。
【請求項４】
合成樹脂製チューブ体の任意の箇所に外気に通じる小孔を穿設してあることを特徴とする請求項１ないし３記載の浴槽用蓋。
【発明の詳細な説明】
【技術分野】
【０００１】
本発明は浴槽の上面開口を覆って湯温の低下を防ぐ浴槽用蓋に関する。
【背景技術】
【０００２】
浴槽内の湯の保温能力を高めるには、浴槽本体の断熱性能の向上を図るのは勿論のこと、浴槽の上面開口を覆う浴槽用蓋においても特に高い断熱性能が必要である。
【０００３】
浴槽用蓋には巻き込みを可能としたシャッター式のもの、折り畳みを可能とした折り畳み式のものの他、２枚一組、あるいは３枚一組というように複数枚の薄板状パネルを組み合わせて用いるようにした組合せ式の浴槽用蓋が知られている。
【０００４】
このうち、組合せ式の浴槽用蓋においては、断熱性能を高めるため、次に示す特許文献にも記載されているように、合成樹脂発泡体等からなる断熱芯材の表裏両面に、硬質のポリプロピレン樹脂、あるいはアルミニウム薄板等によって作成された化粧パネルを積層一体化させて蓋本体を形成し、当該蓋本体の周縁部に滑り止め効果を示現するエラストマー製ないし軟質合成樹脂製のエッジプロテクターを嵌め付けて構成したものが一般に市販されている。
【特許文献１】特開平１１−３２９３０公報
【発明の開示】
【発明が解決しようとする課題】
【０００５】
蓋本体の外周縁にエッジプロテクターを嵌着した組合せ式の浴槽用蓋の場合、浴槽本体のフランジ部上面が水平状態を保持しており、且つ蓋本体に反りがなく、エッジプロテクターもその長手方向に沿って水平状態を保持しているものであれば、施蓋状態において両者間に隙間が生ぜず、湯温の低下を防ぐことができる。
【０００６】
しかしながら、従来のエッジプロテクターは前記した特許文献にも開示されているように、内側には蓋本体の周縁部を抱き込むための凹所が形成され、外側は浴槽本体のフランジ部の上面に当接させる厚肉部が形成されているだけのものであり、浴槽本体のフランジ部上面が水平状態を保持するものであったとしても、蓋本体のエッジプロテクターの当接面を正確に水平に保持するのは不可能であるか、あるいは非常に困難なことであった。
【０００７】
そのため、浴槽本体の上面開口に蓋本体を載置した状態において、浴槽本体のフランジ部上面とエッジプロテクターの間には全体を通じて何箇所かの隙間が生ずるのが常であり、この隙間を通じて外気が浴槽内に取り込まれるため湯温の低下を招くという問題点があった。
【０００８】
また、最近は消費者のニーズに呼応してヘッドレストを設けた浴槽も市販されるようになってきており、この場合、ヘッドレストの部分において蓋本体との間に隙間が生じ易く、湯温の低下を招く要因になるという問題点がある。
【０００９】
従って、本発明の目的は、施蓋状態において浴槽本体との間に隙間が生ずるようなことがなく、湯気の散逸を防ぐと共に、湯温の低下を有効に防止することができるようになした浴槽用蓋を提供することにある。
【課題を解決するための手段】
【００１０】
上記目的を達成するための本発明の構成を詳述すれば、請求項１に係る発明は、蓋本体の周縁部にエッジプロテクターを取付け、当該エッジプロテクターが浴槽のフランジ部の上面に当接するようになっている浴槽用蓋において、前記エッジプロテクターの外周部に、浴槽の上面形状に対応して自在に変形が可能な合成樹脂製チューブ体を形成し、当該合成樹脂製チューブ体を施蓋の際に浴槽のフランジ部の上面に当接させるようにしたことを特徴とする浴槽用蓋である。
【００１１】
請求項２に係る発明は、蓋本体の周縁部にエッジプロテクターを取付けてある浴槽用蓋において、前記エッジプロテクターの外周部に、浴槽に設けられているヘッドレストの形状に対応して自在に変形が可能な合成樹脂製チューブ体を形成し、当該合成樹脂製チューブ体を施蓋の際に浴槽に設けられているヘッドレストに当接させるようにしたことを特徴とする浴槽用蓋である。
【００１２】
また、請求項３に係る発明は、合成樹脂製チューブ体は浴槽に設けられているヘッドレストに対応する部分だけでなく、ヘッドレストに連なる浴槽の直線状のフランジ部上面に対応する部分にも一体的に形成してあることを特徴とする請求項２記載の浴槽用蓋である。
【００１３】
さらに、請求項４に係る発明は、合成樹脂製チューブ体の任意の箇所に外気に通じる小孔を穿設してあることを特徴とする請求項１ないし３記載の浴槽用蓋である。
【００１４】
本発明は上記のように、エッジプロテクターの外周部に、浴槽の上面形状に対応して自在に変形が可能な隙間埋め体としての内部中空の合成樹脂製チューブ体を形成したものであり、仮に浴槽本体のフランジ部上面に僅かな凹凸部があったり、あるいは蓋本体が熱変形等によって僅かな反りを生じていたとしてもエッジプロテクター外周部のチューブ体が自在に変形して当該僅かな凹凸部や、反りに基づく隙間を塞ぐことができる。
【００１５】
なお、ヘッドレストの設けられている浴槽の場合には、当該ヘッドレストの部分と蓋本体の間に隙間を生ずることがあるが、合成樹脂製チューブ体を当該ヘッドレストに対応する箇所に付設することにより、隙間をなくすことができこの部分からの熱放出を防ぐことができるものである。
【発明の効果】
【００１６】
本発明は浴槽本体の上面形状に対応して自在に変形が可能な合成樹脂製チューブ体をエッジプロテクターの外周部に付設したものであるから、浴槽本体のフランジ部の上面に蓋本体を被せた状態においてエッジプロテクターと浴槽上面との間に隙間が生ずるようなことがなく、湯気の散逸を防ぐことができると共に、湯温の低下を有効に防止することができるものである。また、ヘッドレストの設けられている特殊タイプの浴槽の場合においても、合成樹脂製チューブ体がヘッドレストの形状に対応して自在に変形し、ヘッドレスト周辺部分からの放熱を防止することができる。
【発明を実施するための最良の形態】
【００１７】
以下、図面に基づき本発明に係る浴槽用蓋の実施形態を詳細に説明する。
【００１８】
図１は本発明浴槽用蓋の一実施形態を示す平面図、図２は図１のＡ−Ａ線に沿った拡大断面図、図３は隙間埋め体としてのチューブ体を形成したエッジプロテクターの一実施形態を示す拡大断面図、図４はエッジプロテクターの外周中央部分にチューブ体を形成したエッジプロテクターの一実施形態を示す拡大断面図、図５は浴槽のフランジ部上面にチューブ体が当接して隙間を埋めている使用状態の一例を示す説明図、図６は浴槽に設けられているヘッドレストにチューブ体が当接して隙間を埋めている状態の一例を示す説明図、図７はヘッドレストが設けられている浴槽に対応させるようにした本発明浴槽用蓋の他の実施形態を示す平面図である。
【００１９】
図中１は浴槽の大きさに対応して２枚一組となした組合せ蓋における薄板状の蓋本体を示し、２は当該蓋本体１の外周縁全体に嵌め付けた滑り止め効果を有するエラストマー製ないし軟質合成樹脂製のエッジプロテクターである。
【００２０】
蓋本体１は図示する実施形態の場合、合成樹脂発泡体のような高い断熱性能を有する断熱芯材３の表裏両面に、硬質ポリプロピレン樹脂、あるいはアルミニウム薄板等によって作製された化粧板４，４を接着、溶着等の手段で積層一体化してなるものであるが、本発明を実施する対象としての浴槽用蓋はこれに限定されるものではなく、全体として薄板状をなし、浴槽用蓋として要求される断熱性能ないし耐熱性を具備するものであれば、積層構造以外のものであってもよいのは勿論である。
【００２１】
エッジプロテクター２は前記蓋本体１の周縁部を密嵌し得る凹所を有すると共に、その長手方向外周部に沿って合成樹脂製チューブ体５を連続して突成してある。この合成樹脂製チューブ体５はエッジプロテクター２の成形の際に同時に押出成形することもできるが、通常のエッジプロテクター２の押出成形とは別にチューブ体５を作製して、これをエッジプロテクター２の外周部に接着あるいは溶着等の手段によって後から取付けるようにしてもよいのは勿論である。
【００２２】
なお、ここでチューブ体５と称しているのは、エッジプロテクター２に突出形成された状態をあらわしているものであり、エッジプロテクター２に後付けするような場合、完全なチューブ体の他、樋状をなすようなものをエッジプロテクター２に突成し、エッジプロテクター２の素地を利用して全体としてチューブ体５となるような場合も含むものである。
【００２３】
合成樹脂製チューブ体５には柔軟性が要求されるため、合成樹脂発泡体が好適に用いられるが、施蓋状態において浴槽のフランジ部の上面形状、あるいはヘッドレストの形状に対応して自在に変形が可能なものであれば、汎用の軟質合成樹脂を用いることができる。
【００２４】
なお、図１に示すような２枚一組として用いる浴槽用蓋の場合には、施蓋状態において浴槽のフランジ部上面に当接しない蓋本体１，１同士の突き合わせ部６，６が生ずるが、この突き合わせ部６，６には合成樹脂製チューブ体５を特に形成する必要はない。しかしながら、当該突き合わせ部６，６にも合成樹脂製チューブ体５を突成しておくと、蓋本体１，１同士の突き合わせ部６，６の間に生ずる隙間を埋めることができ高い保温性能を得ることができる。
【００２５】
また、浴槽本体７に形成されているヘッドレスト１０に相当する部分のみに合成樹脂製チューブ体５を突成するようにしてもよいが、図１に示すように浴槽本体７に設けられているヘッドレスト１０に対応する部分だけでなく、ヘッドレスト１０に連なるフランジ部８の直線状上面に対応する部分にも一体的にチューブ体５を形成することによって浴槽本体７との密着性を一層向上させることができるものである。
【００２６】
さらに、図７に示す実施形態のように浴槽本体７に設けられているヘッドレスト１０に対応する部分だけでなく、ヘッドレスト１０に連なるフランジ部８の直線状上面に対応する部分にも一体的にチューブ体５を形成するとしても、それ以外の辺には当該チューブ体を付設しないようにしてもよい。なお、この場合チューブ体を付設しない辺については浴槽本体７との密着性が良好なケースである。
【００２７】
合成樹脂製チューブ体５の形成位置は、図２及び図３に示すように施蓋状態において浴槽本体７のフランジ部８上面に当接することとなるエッジプロテクター２の下側隅角部付近が最適であるが、チューブ体５を大きくしてエッジプロテクター２の外周部全体を覆うように形成してもよい。なお、チューブ体５とエッジプロテクター２の接合部付近は掃除性、あるいは耐久性等を考慮してなだらかな曲面形状にするのが最も好ましい。
【００２８】
また、図３に示すようにチューブ体５がエッジプロテクター２の下側隅角部付近に形成されている場合でも、図６に示すようにヘッドレスト１０が設けられている浴槽本体７に対応することは充分可能である。しかしながら、図４に示すようにエッジプロテクター２の外周部中央付近にチューブ体５を形成して、このチューブ体５をヘッドレスト１０が設けられている浴槽本体７に対応させるようにしてもよいのは勿論である。
【００２９】
なお、エッジプロテクター２の外周部に形成する合成樹脂製チューブ体５は、その内部が外気と遮断されていると熱膨張等によって内圧が高まって浴槽本体７のフランジ部８上面等との当接時に変形し難くなるので、チューブ体５の適所、例えば、図３に示すようにチューブ体５の上部適所に外気に通じる小孔９を穿設しておく。
【００３０】
これによって、チューブ体５は、浴槽本体７のフランジ部８の上面形状、あるいはヘッドレスト１０の形状に対応して即時に変形し、浴槽本体７と蓋本体１の間の隙間を埋めることができる。なお、小孔９の穿設位置は任意であり、特に図示しないがチューブ体５の端末部を覆う遮蔽部に設けるようにしてもよいのは勿論である。
【００３１】
本発明浴槽用蓋は上記のとおり、エッジプロテクター２の外周部に、浴槽本体７のフランジ部８の上面形状に対応して自在に変形が可能な隙間埋め体としての内部中空の合成樹脂製チューブ体５を形成したものであり、仮に浴槽本体７のフランジ部８の上面に僅かな凹凸部があったり、あるいは蓋本体１が熱変形等によって僅かな反りを生じていたとしてもエッジプロテクター２外周部のチューブ体５が自在に変形して当該僅かな凹凸部や、反りに基づく隙間を塞ぐことができ、高い保温効果を得ることができるものである。
【００３２】
なお、合成樹脂製チューブ体５はエッジプロテクター２の全周縁に沿って形成するようにしてもよいのは勿論であるが、浴槽本体７のフランジ部８との間に予め隙間が想定される場合には当該想定部分のみにチューブ体５を形成するようにしてもよい。
【００３３】
また、ヘッドレストの設けられている浴槽の場合には、当該ヘッドレストの部分と蓋本体の間に隙間を生ずることがあるが、合成樹脂製チューブ体５を当該ヘッドレストに対応する箇所に付設することにより、隙間をなくすことができこの部分からの放熱を防ぐことができる。
【図面の簡単な説明】
【００３４】
【図１】本発明浴槽用蓋の一実施形態を示す平面図である。
【図２】図１のＡ−Ａ線に沿った拡大断面図である。
【図３】隙間埋め体としてのチューブ体を形成したエッジプロテクターの一実施形態を示す拡大断面図である。
【図４】エッジプロテクターの外周中央部分にチューブ体を形成したエッジプロテクターの一実施形態を示す拡大断面図である。
【図５】浴槽のフランジ部上面にチューブ体が当接して隙間を埋めている使用状態の一例を示す説明図である。
【図６】浴槽に設けられているヘッドレストにチューブ体が当接して隙間を埋めている状態の一例を示す説明図である。
【図７】ヘッドレストが設けられている浴槽に対応させるようにした本発明浴槽用蓋の他の実施形態を示す平面図である。
【符号の説明】
【００３５】
１：蓋本体
２：エッジプロテクター
３：断熱芯材
４：化粧板
５：合成樹脂チューブ体
６：突き合わせ部
７：浴槽本体
８：フランジ部
９：小孔
１０：ヘッドレスト
【図１】
2008228851.tif 000003
【図２】
2008228851.tif 000004
【図３】
2008228851.tif 000005
【図４】
2008228851.tif 000006
【図５】
2008228851.tif 000007
【図６】
2008228851.tif 000008
【図７】
2008228851.tif 000009